(57)【特許請求の範囲】
【請求項１】
室温を検出する室温検出部と、
外気温を検出する外気温検出部と、
予め設定された設定温度と前記室温とに基づき、暖房モードと冷房モードのいずれか一方のモードで自動運転を開始し、前記室温と前記外気温とが前記設定温度に達した場合に前記自動運転のモードを中断する空調装置と、
前記空調装置が自動運転を開始後に予め定められた条件を満たすとき、前記自動運転を停止させ、新たに自動運転を開始させる制御装置と、  
を備える空調制御システム。
【請求項２】
前記制御装置は、前記設定温度と、前記空調装置における自動運転のモードを示す情報を前記空調装置から取得する取得部を備え、
前記予め定められた条件は、第１の条件と第２の条件のいずれかであり、
前記第１の条件は、少なくとも前記室温が前記設定温度よりも高い場合において、前記空調装置が前記暖房モードで自動運転を行っていることであり、
前記第２の条件は、少なくとも前記室温が前記設定温度よりも低い場合において、前記空調装置が前記冷房モードで自動運転を行っていることである、請求項１に記載の空調制御システム。
【請求項３】
前記制御装置は、前記自動運転の開始からの経過時間を計測する計時部を備え、
前記予め定められた条件は、計測された経過時間が前記自動運転の開始から所定時間おきの時間である、請求項１に記載の空調制御システム。
【請求項４】
前記制御装置は、さらに、前記設定温度と、前記空調装置における自動運転のモードを示す情報とを前記空調装置から取得する取得部を備え、
前記予め定められた条件は、前記経過時間が前記自動運転の開始から所定時間おきの時間でない場合、第１の条件と第２の条件のいずれかであり、
前記第１の条件は、少なくとも前記室温が前記設定温度よりも高い場合において、前記空調装置が前記暖房モードで自動運転を行っていることであり、
前記第２の条件は、少なくとも前記室温が前記設定温度よりも低い場合において、前記空調装置が前記冷房モードで自動運転を行っていることである、請求項３に記載の空調制御システム。
【発明の詳細な説明】
【技術分野】
【０００１】
本発明は、空調制御システムに関する。
【背景技術】
【０００２】
従来より、室内外の温度と設定温度とに基づいて暖房又は冷房で運転を行う自動運転機能を有する空調装置が普及している。下記特許文献１には、室内外の温度に応じて設定温度を変更し、変更した設定温度に基づいて自動運転を行う空気調和機が開示されている。
【先行技術文献】
【特許文献】
【０００３】
【特許文献１】特開２０１４−８５０７９号公報
【発明の概要】
【発明が解決しようとする課題】
【０００４】
ところで、一般的な空調装置の自動運転機能は、設定温度と室温とに応じて冷房モード又は暖房モードで運転を開始し、室温が設定温度に達し、外気温が設定温度と同じ温度に達すると、自動運転のモードによるコンプレッサーの駆動を停止して送風運転を行う。図９は、このような空調装置を自動運転機能で動作させた場合の室温と外気温の変化を表している。図９の例では、外気温の変化を曲線Ｓ１、室温の変化を曲線Ｓ２で表しており、設定温度は２３℃となっている。例えば、時刻Ｔ１において、室温が設定温度より低いため、暖房モードで自動運転を開始する。そして、室温が設定温度２３℃となり、外気温が設定温度と同じ２３℃となる時刻Ｔ２になると、空調装置は、暖房モードによるコンプレッサーの駆動を停止して送風運転を行う。空調装置は、暖房モードで自動運転を開始し、暖房モードを中断して送風運転に切り替わった後、室温が設定温度より高くなっても冷房モードに自動で切り替えることができないため、外気温の上昇に伴って室温は上昇する。
【０００５】
また、空調装置をＨＥＭＳ（Home Energy Management System）等のエネルギー管理システムに接続し、エネルギー管理システムにより、室温に応じて空調装置の冷房と暖房とを切り替えることで室温を調整することも可能である。しかしながら、空調装置の自動運転機能では省エネ化を図るための細かい制御を行うことができるため、空調装置の自動運転機能によって室温を調整することが望ましい。
【０００６】
本発明は、暖房モード又は冷房モードで自動運転を開始後、自動でモードを変更することができない空調装置であっても、快適な室温となるように自動運転を行わせる空調制御システムを提供することを目的とする。
【課題を解決するための手段】
【０００７】
本発明に係る空調制御システムは、室温を検出する室温検出部と、外気温を検出する外気温検出部と、予め設定された設定温度と前記室温とに基づき、暖房モードと冷房モードのいずれか一方のモードで自動運転を開始し、前記室温と前記外気温とが前記設定温度に達した場合に前記自動運転のモードを中断する空調装置と、前記空調装置が自動運転を開始後に予め定められた条件を満たすとき、前記自動運転を停止させ、新たに自動運転を開始させる制御装置と、を備える。
【０００８】
この構成によれば、空調装置が自動運転を開始した後、予め定められた条件を満たすとき、制御装置によって、空調装置の自動運転を停止させて新たに自動運転を開始させる。その結果、空調装置は、自動運転を新たに開始するときの室温と外気温に応じたモードで自動運転を行う。そのため、暖房モード又は冷房モードで自動運転を開始後、自動でモードを変更することができない空調装置であっても快適な室温となるように自動運転を行わせることができる。
【０００９】
また、上記空調制御システムにおいて、前記制御装置は、前記設定温度と、前記空調装置における自動運転のモードを示す情報を前記空調装置から取得する取得部を備え、前記予め定められた条件は、第１の条件と第２の条件のいずれかであり、前記第１の条件は、少なくとも前記室温が前記設定温度よりも高い場合において、前記空調装置が前記暖房モードで自動運転を行っていることであり、前記第２の条件は、少なくとも前記室温が前記設定温度よりも低い場合において、前記空調装置が前記冷房モードで自動運転を行っていることであることとしてもよい。
【００１０】
この構成によれば、空調装置が自動運転中における設定温度及び室温と、自動運転のモードとに応じて、自動運転を停止して新たに自動運転を開始させるため、室温が設定温度より高くなったり、低くなったりした状態が継続されるのを防止することができる。
【００１１】
また、上記空調制御システムにおいて、前記制御装置は、前記自動運転の開始からの経過時間を計測する計時部を備え、前記予め定められた条件は、計測された経過時間が前記自動運転の開始から所定時間おきの時間であることとしてもよい。
【００１２】
この構成によれば、自動運転の開始から所定時間おきに、自動運転が停止されて新たに自動運転が開始されるため、室温が設定温度より高くなったり、低くなったりした状態を継続させないようにすることができる。
【００１３】
また、上記空調制御システムにおいて、前記制御装置は、さらに、前記設定温度と、前記空調装置における自動運転のモードを示す情報とを前記空調装置から取得する取得部を備え、前記予め定められた条件は、前記経過時間が前記自動運転の開始から所定時間おきの時間でない場合、第１の条件と第２の条件のいずれかであり、前記第１の条件は、少なくとも前記室温が前記設定温度よりも高い場合において、前記空調装置が前記暖房モードで自動運転を行っていることであり、前記第２の条件は、少なくとも前記室温が前記設定温度よりも低い場合において、前記空調装置が前記冷房モードで自動運転を行っていることであることとしてもよい。
【００１４】
この構成によれば、自動運転の開始から所定時間おきに自動運転を停止して新たに自動運転を開始するとともに、所定時間が経過する前に第１の条件又は第２の条件を満たす場合に、自動運転を停止して新たに自動運転を開始する。そのため、所定時間が経過するまでに室温が設定温度より高くなったり、低くなったりした場合、所定時間の経過前に自動運転が新たに開始されるので快適な室温に保つことができる。
【発明の効果】
【００１５】
本発明の構成によれば、暖房モード又は冷房モードで自動運転を開始後、自動でモードを変更することができない空調装置であっても、快適な室温となるように自動運転を行わせることができる。
【図面の簡単な説明】
【００１６】
【図１】図１は、第１実施形態に係る空調制御システムが設けられたエネルギー管理システムの構成例を示す模式図である。
【図２】図２は、図１に示す空調装置の概略構成を示す機能ブロック図である。
【図３】図３は、図１に示すエネルギー管理装置の機能ブロック図である。
【図４】図４は、第１実施形態における空調制御システムの動作フロー図である。
【図５】図５は、第１実施形態における空調装置を自動運転させる場合の室温と外気温の変化を表す図である。
【図６】図６は、第２実施形態に係るエネルギー管理装置の機能ブロック図である。
【図７】図７は、第２実施形態におけるエネルギー管理装置の動作フロー図である。
【図８】図８は、変形例（１）に係るエネルギー管理装置の動作フロー図である。
【図９】図９は、従来の空調装置を自動運転させる場合の室温と外気温の変化を表す図である。
【発明を実施するための形態】
【００１７】
以下、図面を参照し、本発明の実施の形態を詳しく説明する。図中同一又は相当部分には同一符号を付してその説明は繰り返さない。
【００１８】
＜第１実施形態＞
本発明に係る空調制御システムは、ＨＥＭＳ等のエネルギー管理システムにおいて利用される。図１は、本実施形態に係る空調制御システムが設けられたエネルギー管理システムの構成例を示す模式図である。
【００１９】
図１に示すように、エネルギー管理システム１は、系統１１と接続された分電盤１２に、交流負荷１３、空調装置１４、及びエネルギー管理装置１５が接続されて構成されている。本実施形態の空調制御システムは、空調装置１４とエネルギー管理装置１５で構成される。
【００２０】
交流負荷１３は、例えば、宅内に設置されたパーソナルコンピュータやサーバ等のＯＡ機器、テレビ、冷蔵庫、照明等、交流電力の供給によって動作する電気機器である。交流負荷１３は、ＥＣＨＯＮＥＴ  Ｌｉｔｅ等の通信プロトコルに対応し、エネルギー管理装置１５との間で交流負荷１３の動作に関する情報をやり取りする。
【００２１】
空調装置１４は、室内機と室外機とが配管及び配線で接続されて構成されている（いずれも図示略）。空調装置１４は、ＥＣＨＯＮＥＴ  Ｌｉｔｅ等の通信プロトコルに対応し、エネルギー管理装置１５との間で空調装置１４の動作に関する情報をやり取りする。また、空調装置１４は、設定温度と室温とに応じて暖房と冷房のいずれかで運転を行う自動運転機能、暖房で運転する暖房機能、及び冷房で運転する冷房機能を有する。以下、自動運転機能による暖房と冷房の各運転を暖房モードと冷房モードと称する。
【００２２】
図２は、空調装置１４の概略構成を示すブロック図である。図２に示すように、空調装置１４は、制御部１４１、外気温センサ１４２、室温センサ１４３、コンプレッサー１４４、及びファン１４５を有する。
【００２３】
外気温センサ１４２は、室外機に設けられ、外気温を検出する。室温センサ１４３は、室内機に設けられ、室温を検出する。コンプレッサー１４４は、室外機に設けられ、制御部１４１の制御の下、冷媒を圧縮して冷媒の温度を調整する。ファン１４５は、室内機用ファンと室外機用ファンとを含む。ファン１４５は、制御部１４１の制御の下、所定の回転数で回転する。
【００２４】
制御部１４１は、例えばマイコンで構成される。制御部１４１は、赤外線通信などによりリモコン装置１４６から運転の指示や設定温度の指示を受け付け、受け付けた指示に基づいてコンプレッサー１４４及びファン１４５を駆動する。
【００２５】
また、制御部１４１は、暖房モード又は冷房モードで自動運転を開始した後、室温センサ１４３と外気温センサ１４２で各々検出された室温と外気温とが設定温度に達すると、自動運転のモードを中断して送風運転を行う。つまり、室温と外気温とが設定温度に達した場合、自動運転のモードに応じたコンプレッサー１４４の駆動を停止して送風運転を行う。
【００２６】
また、制御部１４１は、エネルギー管理装置１５からの指示に応じて、現在の自動運転のモードと設定温度、外気温センサ１４２及び室温センサ１４３で検出された外気温及び室温などの各種情報をエネルギー管理装置１５へ出力したり、エネルギー管理装置１５からの指示に応じて自動運転をリセットしたりする。自動運転のリセットとは、自動運転を停止させた後、新たに自動運転を開始させることである。
【００２７】
エネルギー管理装置１５は、ＣＰＵ（Central Processing Unit）及びメモリ（ＲＯＭ(Read Only Memory)及びＲＡＭ(Random Access Memory)）と、ディスプレイとを備える（いずれも図示略）。エネルギー管理装置１５は、ＥＣＨＯＮＥＴ  Ｌｉｔｅ等の通信プロトコルを用い、交流負荷１３及び空調装置１４との間でこれらの動作に関する情報のやり取りを行い、使用電力量等の動作状況をディスプレイに表示する。また、エネルギー管理装置１５は、空調装置１４が自動運転を行っている場合、空調装置１４の設定温度と、室温及び外気温と、自動運転のモードに基づいて自動運転をリセットするリセット処理を行う。
【００２８】
図３は、エネルギー管理装置１５がリセット処理を実現するための機能ブロック図である。図３に示すように、エネルギー管理装置１５は、温度情報取得部１５１、運転情報取得部１５２、及び自動運転制御部１５３を有する。エネルギー管理装置１５は、ＣＰＵがＲＯＭに記憶された制御プログラムを実行することにより、図３に示す各部の機能を実現する。
【００２９】
温度情報取得部１５１は、空調装置１４で検出される室温と外気温とを含む温度情報を一定時間ごとに空調装置１４から取得する。
【００３０】
運転情報取得部１５２は、空調装置１４の運転開始時に、現在の設定温度と自動運転のモード（暖房モード又は冷房モード）とを含む運転情報を空調装置１４から取得する。
【００３１】
自動運転制御部１５３は、温度情報取得部１５１で取得された温度情報に含まれる室温と外気温とが、運転情報取得部１５２において取得した運転情報に含まれている設定温度よりも高いか、又は低いとき、当該運転情報に含まれる自動運転のモードに応じて、空調装置１４に自動運転のリセットを指示する。
【００３２】
（動作）
図４は、本実施形態における空調制御システムの動作フロー図である。
【００３３】
空調装置１４は、リモコン装置１４６により自動運転開始の指示を受け付けると、予め設定された設定温度と、室温センサ１４３で検出された室温とに基づいて、暖房モード又は冷房モードで自動運転を開始する（ステップＳ２１）。
【００３４】
空調装置１４が自動運転を開始すると、エネルギー管理装置１５は、空調装置１４の現在の運転情報を要求する指示を空調装置１４に出力するとともに、空調装置１４で検出される温度情報を要求する指示を空調装置１４に随時出力する（ステップＳ１１）。
【００３５】
空調装置１４は、エネルギー管理装置１５から運転情報を要求する指示を受け付け、現在の設定温度と自動運転のモードとを含む運転情報をエネルギー管理装置１５へ出力する（ステップＳ２２）。また、空調装置１４は、エネルギー管理装置１５から温度情報を要求する指示を受け付けるごとに、室温センサ１４３で検出される室温と、外気温センサ１４２で検出された外気温とを含む温度情報をエネルギー管理装置１５へ出力する（ステップＳ２３）。
【００３６】
空調装置１４は、室温と外気温が設定温度に達するまで（ステップＳ２４：Ｎｏ）、暖房又は冷房モードによる自動運転を行い、室温と外気温が設定温度に達すると（ステップＳ２４：Ｙｅｓ）、自動運転中のモードによる駆動を中断して送風運転を行う（ステップＳ２５）。
【００３７】
エネルギー管理装置１５は、空調装置１４から出力された運転情報を取得するとともに（ステップＳ１２）、空調装置１４から出力された温度情報を随時取得する(ステップＳ１３)。
【００３８】
エネルギー管理装置１５は、取得した運転情報と温度情報を基に、現在の室温と外気温のいずれも設定温度より高いか否か判断する（ステップＳ１４）。現在の室温と外気温のいずれもが設定温度より高い場合（ステップＳ１４：Ｙｅｓ）、エネルギー管理装置１５は、取得した運転情報に含まれる自動運転のモードが暖房モードか否かを判断する（ステップＳ１５）。自動運転のモードが暖房モードである場合（ステップＳ１５：Ｙｅｓ）、エネルギー管理装置１５は、空調装置１４に自動運転のリセットを指示する（ステップＳ１６）。
【００３９】
空調装置１４は、エネルギー管理装置１５から自動運転のリセットの指示が出力されるまで（ステップＳ２６：Ｎｏ）、送風運転を継続する。また、空調装置１４は、エネルギー管理装置１５から自動運転のリセットの指示が出力されると（ステップＳ２６：Ｙｅｓ）、自動運転をリセットし、リセット後の自動運転のモードと設定温度とを含む運転情報をエネルギー管理装置１５へ出力する（ステップＳ２７）。この場合、空調装置１４は、自動運転を停止させた後、現在の室温と設定温度とに基づいて、冷房モードによる自動運転を開始する。
【００４０】
また、ステップＳ１４において、現在の室温と外気温のいずれも設定温度より高くない場合（ステップＳ１４：Ｎｏ）、エネルギー管理装置１５は、現在の室温と外気温のいずれもが設定温度より低いか否か判断する（ステップＳ１７）。現在の室温と外気温のいずれもが設定温度より低い場合（ステップＳ１７：Ｙｅｓ）、エネルギー管理装置１５は、取得した運転情報に含まれる自動運転のモードが冷房モードか否か判断する（ステップＳ１８）。自動運転のモードが冷房モードである場合（ステップＳ１８：Ｙｅｓ）、エネルギー管理装置１５は、空調装置１４に自動運転のリセットを指示する（ステップＳ１６）。
空調装置１４は、上記ステップＳ２７と同様、自動運転をリセットし、リセット後の自動運転のモードと設定温度とを含む運転情報をエネルギー管理装置１５へ出力する。この場合、空調装置１４は、自動運転を停止させた後、現在の室温と設定温度とに基づいて、暖房モードによる自動運転を開始する。
【００４１】
また、ステップＳ１５において、自動運転のモードが冷房モードである場合（ステップＳ１５：Ｎｏ）、ステップＳ１７において、現在の室温と外気温のいずれも設定温度より低くない場合（ステップＳ１７：Ｎｏ）、又は、ステップＳ１８において、自動運転のモードが暖房モードの場合（ステップＳ１８：Ｎｏ）、エネルギー管理装置１５は、ステップＳ１３以下の処理を繰り返す。
【００４２】
なお、空調装置１４は、ステップＳ２７において、エネルギー管理装置１５のリセット指示により自動運転を再開した後、ステップＳ２２以下の処理を行い、エネルギー管理装置１５は、上述したステップＳ１１以下の処理を行う。空調装置１４及びエネルギー管理装置１５によるこれら各処理は、空調装置１４において、リモコン装置１４６を介して自動運転停止の指示を受け付けるまで繰り返し行う。
【００４３】
図５は、空調装置１４を自動運転させる場合の室温と外気温の変化を表す図である。図５において、曲線Ｐ１は外気温、曲線Ｐ２は室温の変化を表し、設定温度は２３℃である。この例では、時刻Ｔ１において、室温と設定温度とに基づき、空調装置１４が暖房モードによる自動運転を開始する。図５に示すように、時刻Ｔ１において暖房モードによる自動運転の開始後、室温Ｐ２が設定温度となり、外気温Ｐ１が設定温度に達すると、空調装置１４は暖房モードによる駆動を中断して送風運転を行い、室温Ｐ２は外気温の上昇に伴って上昇する。本実施形態では、室温と外気温とが設定温度より高くなる時刻Ｔ２において、エネルギー管理装置１５により自動運転のリセットが指示され、空調装置１４は自動運転をリセットする。これにより、時刻Ｔ２以降は、空調装置１４において、現在の室温と設定温度とに基づき、冷房モードによる自動運転が開始され、室温Ｐ２は設定温度まで下げられる。
【００４４】
空調装置１４は、暖房モード又は冷房モードで自動運転を開始し、送風運転に切り替わった後、室温が設定温度より高くなったり、低くなったりしても、自動運転のモードを自動で切り替えることはできない。本実施形態では、エネルギー管理装置１５の制御の下、室温と外気温のいずれもが設定温度に達した後、自動運転のモードに応じて空調装置１４の自動運転をリセットさせるため、リセット後の室温と設定温度とに基づいて新たに自動運転を開始させることができ、室温を設定温度に保つことができる。
【００４５】
＜第２実施形態＞
上述した第１実施形態では、設定温度と室温及び外気温と、空調装置１４における自動運転のモードとが一定条件下において、空調装置１４の自動運転をリセットさせる例を説明したが、以下のようにしてもよい。
【００４６】
例えば、空調装置１４が暖房モード又は冷房モードで自動運転を開始後、一定時間が経過するごとに、空調装置１４の自動運転をリセットさせるようにしてもよい。
【００４７】
図６は、本実施形態に係るエネルギー管理装置の機能ブロック図である。エネルギー管理装置１５Ａは、第１実施形態と同様の運転情報取得部１５２に加え、計時部１５４及び自動運転制御部１５３Ａを備える。
【００４８】
計時部１５４は、運転情報取得部１５２において運転情報が取得されたとき、つまり、空調装置１４が自動運転を開始してからの経過時間を計測する。
【００４９】
自動運転制御部１５３Ａは、計測された経過時間が、自動運転を開始してから所定時間おきの時間である場合、自動運転のリセットを空調装置１４に指示する。つまり、自動運転制御部１５３Ａは、自動運転の開始から所定時間おきに空調装置１４に自動運転のリセットを指示する。
【００５０】
図７は、本実施形態におけるエネルギー管理装置１５Ａの動作フロー図である。図７において第１実施形態と同様の処理には、第１実施形態と同様のステップ番号が付されている。以下、主として第１実施形態と異なる処理について説明する。
【００５１】
エネルギー管理装置１５Ａは、空調装置１４が自動運転を開始した際、空調装置１４から運転情報を取得すると（ステップＳ１２）、運転情報を取得したタイミングを自動運転開始時として経過時間の計測を開始する（ステップＳ１１３）。
【００５２】
そして、エネルギー管理装置１５Ａは、計測された経過時間が自動運転開始から所定時間おきの時間であるか否か判断する（ステップＳ１１４）。計測された経過時間が自動運転開始から所定時間おきの時間である場合（ステップＳ１１４：Ｙｅｓ）、エネルギー管理装置１５Ａは、自動運転のリセットの指示を空調装置１４に出力する（ステップＳ１６）。一方、計測された経過時間が自動運転開始から所定時間おきの時間でなければ（ステップＳ１１４：Ｎｏ）、ステップ１１４の処理を行う。エネルギー管理装置１５Ａは、空調装置１４において自動運転が終了されるまでステップＳ１１４以下の処理を繰り返す。
【００５３】
上述した第２実施形態では、自動運転の開始から所定時間ごとに自動運転をリセットするため、所定時間ごとに現在の室温と設定温度とに応じたモードで自動運転を再開させることができ、快適な室温を保つことができる。
【００５４】
＜変形例＞
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。以下、本発明の変形例について説明する。
【００５５】
（１）上述した第２実施形態では、空調装置１４の自動運転をリセットさせる条件が、自動運転の開始からの経過時間が、自動運転の開始から所定時間おきの時間であることとした。例えば、所定時間が１時間以上である場合など、自動運転のリセットを指示する間隔が長い場合、所定時間が経過する前に、室温が設定温度より高くなったり、低くなったりすることもあり得る。そのため、この場合には、第２実施形態の自動運転のリセットの条件と、第１実施形態の自動運転のリセットの条件とを組み合わせてもよい。
【００５６】
図８は、本変形例に係るエネルギー管理装置１５Ｂの動作フロー図である。図８において、第２実施形態（図７参照）と同様の処理については、第２実施形態と同じステップ番号を付している。以下、図８について、第２実施形態と異なる処理を主に説明する。
【００５７】
図８に示すように、エネルギー管理装置１５Ｂは、第１実施形態と同様、空調装置１４から温度情報（室温及び外気温）を随時取得する（ステップＳ１３）。そして、計測された経過時間が自動運転開始から所定時間おきの時間でなければ（ステップＳ１１４：Ｎｏ）、エネルギー管理装置１５Ｂは、第１実施形態と同様、破線枠で示すステップＳ１４及びＳ１５の条件（第１の条件）、又はステップＳ１７及びＳ１８の条件（第２の条件）を満たすか否か判断する。つまり、本変形例では、自動運転開始からの経過時間に加え、室温、外気温、及び設定温度と自動運転のモードに基づいて、自動運転をリセットするか否か判断する。
【００５８】
このように構成することにより、第２実施形態の場合と比べ、所定時間が経過する前に、室温が設定温度よりも高くなったり、低くなったりしないように、より細かく室温を調整することができる。
【００５９】
（２）上述した第１実施形態及び変形例（１）では、空調装置１４に設けられた室温センサ１４３と外気温センサ１４２で検出された室温と外気温を用いてリセット処理を行う例を説明したが、エネルギー管理システム１に、室温センサと外気温センサが接続されていてもよい。要は、エネルギー管理装置１５、１５Ｂが室温と外気温を取得できるように構成されていればよい。
【００６０】
（３）上述した第１実施形態及び変形例（１）では、エネルギー管理装置１５，１５Ｂは、図４及び図８のステップＳ１４、Ｓ１７において、室温と外気温とに基づいて、空調装置１４の自動運転をリセットする例を説明したが、少なくとも室温に基づいて自動運転のリセット処理を行うようにしてもよい。
【００６１】
（４）また、上述した実施形態及び変形例では、リモコン装置１４６を介して空調装置１４の自動運転を開始及び停止する例を説明したが、エネルギー管理装置１５，１５Ａ、１５Ｂによって空調装置１４の自動運転を開始したり、停止したりしてもよい。
【符号の説明】
【００６２】
１・・・エネルギー管理システム、１１・・・系統、１２・・・分電盤、１３・・・交流負荷、１４・・・空調装置、１５，１５Ａ，１５Ｂ・・・エネルギー管理装置、１４１・・・制御部、１４２・・・外気温センサ、１４３・・・室温センサ、１４４・・・コンプレッサー、１４５・・・ファン、１４６・・・リモコン、１５１・・・温度情報取得部、１５２・・・運転情報取得部、１５３，１５３Ａ・・・自動運転制御部、１５４・・・計時部
【図１】
0006599805.tif 000002
【図２】
0006599805.tif 000003
【図３】
0006599805.tif 000004
【図４】
0006599805.tif 000005
【図５】
0006599805.tif 000006
【図６】
0006599805.tif 000007
【図７】
0006599805.tif 000008
【図８】
0006599805.tif 000009
【図９】
0006599805.tif 000010